(57)【要約】【課題】相手からの登録要求に対して、心理的に、拒否の応答を返しにくい。【解決手段】互いに登録を承認した他のユーザの端末との間で、サーバを介して、端末のユーザの活動状態を示す活動情報を相互に通知すると共に、他のユーザの端末から受信した活動情報を表示する端末であって、登録に対する承認を要求する登録要求を、サーバを介して当該他のユーザの端末へ送信する登録要求処理部と、他のユーザの端末からサーバを介して、当該端末のユーザを登録する承認を要求する登録要求を受信し、表示する登録要求表示部と、当該端末のユーザから、登録要求表示部により表示された登録要求を無視すべき旨の入力を受け付ける無視受付部と、無視受付部により無視すべき旨の入力が受け付けられた場合に、無視すべき登録要求が、登録要求表示部に表示されなかったとサーバに判断させるべく、当該登録要求を処理する登録応答処理部とを備える。【選択図】図２
2008102866.tif 000002
【特許請求の範囲】
【請求項１】
互いに登録を承認した他のユーザが使用する端末との間で、サーバを介して、端末を使用するユーザの活動状態を示す活動情報を相互に通知すると共に、他のユーザが使用する端末から受信した活動情報を表示する端末であって、
当該端末のユーザから、新たな他のユーザを登録する要求を受け付けて、当該他のユーザに当該登録に対する承認を要求する登録要求を、前記サーバを介して当該他のユーザが使用する端末へ送信する登録要求処理部と、
前記他のユーザが使用する端末から前記サーバを介して、当該端末のユーザを登録する承認を要求する前記登録要求を受信し、表示する登録要求表示部と、
当該端末のユーザから、前記登録要求表示部により表示された前記登録要求を無視すべき旨の入力を受け付ける無視受付部と、
前記無視受付部により無視すべき旨の入力が受け付けられた場合に、無視すべき前記登録要求が、前記登録要求表示部に表示されなかったと前記サーバに判断させるべく、当該登録要求を処理する登録応答処理部と
を備える端末。
【請求項２】
前記登録応答処理部は、
前記無視受付部により無視すべき旨の入力が受け付けられた場合に、前記他のユーザが使用する端末が前記活動情報を受信する一定時間を経過するまで、前記無視すべき登録要求に対する登録応答を送信しないことにより、前記無視すべき旨の入力を、前記サーバに時間切れと判断させる処理をする請求項１に記載の端末。
【請求項３】
前記登録応答処理部は、
前記無視受付部により無視すべき旨の入力が受け付けられた場合に、前記他のユーザが使用する端末が前記活動情報を受信する一定時間よりも短い許容時間が経過するまで、無視すべき前記登録要求に対する登録応答を送信しないことにより、前記無視すべき旨の入力を、前記サーバに時間切れと判断させる処理をする請求項１に記載の端末。
【請求項４】
前記登録応答処理部は、
前記無視受付部により無視すべき旨の入力が受け付けられた場合に、無視すべき前記登録要求が、前記登録要求表示部により受信されなかったと前記サーバに判断させるべく、当該登録要求を処理する請求項１に記載の端末。
【請求項５】
互いに登録を承認した他のユーザの活動状態を示す活動情報を相互に通知するサーバであって、
当該サーバに対応付けられた端末から、当該端末と異なる他の端末を使用する他のユーザを登録する承認を要求する登録要求を受信して、当該他の端末に対応付けられた他のサーバへ送信し、前記他のサーバから、当該サーバに対応付けられた前記端末を使用するユーザを登録する承認を要求する登録要求を受信して、当該サーバに対応付けられた前記端末へ送信する登録要求送受信部と、
当該サーバに対応付けられた前記端末から、当該サーバに対応付けられた前記端末を使用するユーザを登録する承認を要求する登録要求に対する登録応答を受信して、前記他のサーバへ送信し、前記他のサーバから、当該他のサーバに対応付けられた前記他の端末を使用する他のユーザを登録する承認を要求する登録要求に対する登録応答を受信して、当該サーバに対応付けられた前記端末へ送信する登録応答送受信部と
を備え、
前記登録応答送受信部は、前記登録要求送受信部により当該サーバに対応付けられた前記端末に前記登録要求を送信した後に、当該端末が当該端末を利用するユーザから当該登録要求を無視すべき旨の入力を受け付けた場合に、当該登録要求が当該端末に表示されなかったと判断し、その旨を示す前記登録応答を前記他のサーバに送信するサーバ。
【請求項６】
前記登録応答送受信部は、
前記登録要求送受信部により当該サーバに対応付けられた前記端末に前記登録要求を送信してから当該登録要求を送信した端末に前記活動情報を送信する一定時間を経過するまでの間に、当該登録要求に対する前記登録応答を受信しなかった場合には、当該登録応答の受信が時間切れと判断し、時間切れを示す前記登録応答を前記他のサーバに送信する請求項５に記載のサーバ。
【請求項７】
前記登録応答送受信部は、
前記登録要求送受信部により当該サーバに対応付けられた前記端末に前記登録要求を送信してから、当該登録要求を送信した端末に前記活動情報を送信する一定時間よりも短い許容時間が経過するまでの間に当該登録要求に対する前記登録応答を受信しなかった場合には、前記登録応答の受信が時間切れと判断し、時間切れを示す前記登録応答を前記他のサーバに送信する請求項５に記載のサーバ。
【請求項８】
前記登録応答送受信部は、
前記登録要求送受信部により当該サーバに対応付けられた前記端末に前記登録要求を送信した後に、当該端末が当該端末を利用するユーザから当該登録要求を無視すべき旨の入力を受け付けた場合に、当該登録要求が当該端末に受信されなかったと判断し、その旨を示す前記登録応答を前記他のサーバに送信する請求項５に記載のサーバ。
【請求項９】
互いに登録を承認した他のユーザが使用する端末との間で、サーバを介して、端末を使用するユーザの活動状態を示す活動情報を相互に通知すると共に、他のユーザが使用する端末から受信した活動情報を表示する端末と、
それぞれの前記端末に対応付けられたサーバと
を備えるシステムであって、
前記端末は、
当該端末のユーザから、新たな前記他のユーザの前記登録を要求する旨の入力を受け付けて、当該他のユーザに当該登録に対する承認を要求する登録要求を、当該端末に対応付けられた前記サーバへ送信する登録要求処理部と、
前記他のユーザが使用する他の端末から当該他の端末に対応付けられた前記サーバを介して前記登録要求を受信し、表示する登録要求表示部と、
当該端末のユーザから、前記登録要求表示部により表示された前記登録要求を無視すべき旨の入力を受け付ける無視受付部と、
前記無視受付部により無視すべき旨の入力が受け付けられた場合に、無視すべき前記登録要求が、前記登録要求表示部に表示されなかったと前記他のユーザが使用する他の端末に対応付けられた前記サーバに判断させるべく、当該登録要求を処理する登録応答処理部と、
当該端末に対応付けられた前記サーバから当該登録要求が表示されなかった旨を示す登録要求を受信し、表示する登録応答表示部と
を有し、
前記サーバは、
当該サーバに対応付けられた前記端末から、当該端末と異なる他の端末を使用する他のユーザの前記登録に対する承認を要求する登録要求を受信して、当該他の端末に対応付けられた当該サーバと異なる他のサーバへ送信し、前記他のサーバから、当該サーバに対応付けられた前記端末を使用するユーザの前記登録に対する承認を要求する登録要求を受信して、当該サーバに対応付けられた前記端末へ送信する登録要求送受信部と、
当該サーバに対応付けられた前記端末から、当該サーバに対応付けられた前記端末を使用するユーザを登録する承認を要求する登録要求に対する登録応答を受信して、前記他のサーバへ送信し、前記他のサーバから、当該他のサーバに対応付けられた前記他の端末を使用する他のユーザを登録する承認を要求する登録要求に対する登録応答を受信して、当該サーバに対応付けられた前記端末へ送信する登録応答送受信部と
を有し、
前記登録応答送受信部は、前記登録要求が当該サーバに対応付けられた前記端末の前記登録要求表示部に表示されなかったと判断した場合は、その旨を示す前記登録応答を、前記他のサーバの前記登録応答送受信部に送信し、前記他のサーバの前記登録応答送受信部から、前記登録要求が当該他のサーバに対応付けられた前記他の端末の前記登録要求表示部に表示されなかったと判断した旨を示す前記登録応答を受信した場合は、当該サーバに対応付けられた前記端末に送信するシステム。
【発明の詳細な説明】
【技術分野】
【０００１】
本発明は、端末、サーバおよびシステムに関する。特に、本発明は、端末を使用するユーザの活動状態を示す活動情報を送受信する端末、サーバおよびシステムに関する。
【背景技術】
【０００２】
ユーザの端末間でユーザの状態を示す情報であるプレゼンス情報の同期をとるプレゼンス表示システムが知られている（例えば、特許文献１参照）。また、プレゼンス情報とともに、当該プレゼンス情報を発信した発信者であるバディとの距離を表示するプレゼンス表示システムが知られている（例えば、特許文献２参照）。特許文献１、２に記載のプレゼンス表示システムは、他のユーザとの間で、互いのプレゼンスを通知することについて事前に登録を承認した場合に、互いのプレゼンスを表示する。
【特許文献１】特開２００５−１２３９７０号公報
【特許文献２】特開２００５−１９０２８７号公報
【発明の開示】
【発明が解決しようとする課題】
【０００３】
しかしながら、特許文献１、２に記載のプレゼンス表示システムによれば、互いのプレゼンス情報を通知することについて他のユーザから承認を求められたユーザは、承認または拒否の応答を選択する。この場合に、当該ユーザは、承認したくない相手に対して、心理的に、拒否の応答を返しにくいという不具合がある。
【課題を解決するための手段】
【０００４】
上記課題を解決するために、本発明の第１の形態においては、互いに登録を承認した他のユーザが使用する端末との間で、サーバを介して、端末を使用するユーザの活動状態を示す活動情報を相互に通知すると共に、他のユーザが使用する端末から受信した活動情報を表示する端末であって、当該端末のユーザから、新たな他のユーザを登録する要求を受け付けて、当該他のユーザに当該登録に対する承認を要求する登録要求を、サーバを介して当該他のユーザが使用する端末へ送信する登録要求処理部と、他のユーザが使用する端末からサーバを介して、当該端末のユーザを登録する承認を要求する登録要求を受信し、表示する登録要求表示部と、当該端末のユーザから、登録要求表示部により表示された登録要求を無視すべき旨の入力を受け付ける無視受付部と、無視受付部により無視すべき旨の入力が受け付けられた場合に、無視すべき登録要求が、登録要求表示部に表示されなかったとサーバに判断させるべく、当該登録要求を処理する登録応答処理部とを備える。これにより、活動情報を相互に通知することについて他のユーザから承認を求められたユーザは、当該他のユーザとの間で活動情報を相互に通知したくない場合には、心理的な負担を感じることなく承認を拒否することができる。
【０００５】
登録応答処理部は、無視受付部により無視すべき旨の入力が受け付けられた場合に、他のユーザが使用する端末が活動情報を受信する一定時間を経過するまで、無視すべき登録要求に対する登録応答を送信しないことにより、無視すべき旨の入力を、サーバに時間切れと判断させる処理をしてもよい。これにより、活動情報を相互に通知することについて他のユーザから承認を求められたユーザは、当該他のユーザとの間で活動情報を相互に通知したくない場合には、時間切れを装い、承認を拒否することができる。
【０００６】
登録応答処理部は、無視受付部により無視すべき旨の入力が受け付けられた場合に、他のユーザが使用する端末が活動情報を受信する一定時間よりも短い許容時間が経過するまで、無視すべき登録要求に対する登録応答を送信しないことにより、無視すべき旨の入力を、サーバに時間切れと判断させる処理をしてもよい。これにより、活動情報を相互に通知することについて他のユーザに承認を求めたユーザは、応答を早期に取得することができる。
【０００７】
登録応答処理部は、無視受付部により無視すべき旨の入力が受け付けられた場合に、無視すべき登録要求が、登録要求表示部により受信されなかったとサーバに判断させるべく、当該登録要求を処理してもよい。これにより、活動情報を相互に通知することについて他のユーザから承認を求められたユーザは、当該他のユーザとの間で活動情報を相互に通知したくない場合には、心理的負担を感じずに拒否することができる。
【０００８】
上記課題を解決するために、本発明の第２の形態においては、互いに登録を承認した他のユーザの活動状態を示す活動情報を相互に通知するサーバであって、当該サーバに対応付けられた端末から、当該端末と異なる他の端末を使用する他のユーザを登録する承認を要求する登録要求を受信して、当該他の端末に対応付けられた他のサーバへ送信し、他のサーバから、当該サーバに対応付けられた端末を使用するユーザを登録する承認を要求する登録要求を受信して、当該サーバに対応付けられた端末へ送信する登録要求送受信部と、当該サーバに対応付けられた端末から、当該サーバに対応付けられた端末を使用するユーザを登録する承認を要求する登録要求に対する登録応答を受信して、他のサーバへ送信し、他のサーバから、当該他のサーバに対応付けられた他の端末を使用する他のユーザを登録する承認を要求する登録要求に対する登録応答を受信して、当該サーバに対応付けられた端末へ送信する登録応答送受信部とを備え、登録応答送受信部は、登録要求送受信部により当該サーバに対応付けられた端末に登録要求を送信した後に、当該端末が当該端末を利用するユーザから当該登録要求を無視すべき旨の入力を受け付けた場合に、当該登録要求が当該端末に表示されなかったと判断し、その旨を示す登録応答を他のサーバに送信する。これにより、第１の形態と同一の効果を得ることができる。
【０００９】
登録応答送受信部は、登録要求送受信部により当該サーバに対応付けられた端末に登録要求を送信してから当該登録要求を送信した端末に活動情報を送信する一定時間を経過するまでの間に、当該登録要求に対する登録応答を受信しなかった場合には、当該登録応答の受信が時間切れと判断し、時間切れを示す登録応答を他のサーバに送信してもよい。
【００１０】
登録応答送受信部は、登録要求送受信部により当該サーバに対応付けられた端末に登録要求を送信してから、当該登録要求を送信した端末に活動情報を送信する一定時間よりも短い許容時間が経過するまでの間に当該登録要求に対する登録応答を受信しなかった場合には、登録応答の受信が時間切れと判断し、時間切れを示す登録応答を他のサーバに送信してもよい。
【００１１】
登録応答送受信部は、登録要求送受信部により当該サーバに対応付けられた端末に登録要求を送信した後に、当該端末が当該端末を利用するユーザから当該登録要求を無視すべき旨の入力を受け付けた場合に、当該登録要求が当該端末に受信されなかったと判断し、その旨を示す登録応答を他のサーバに送信してもよい。
【００１２】
上記課題を解決するために、本発明の第３の形態においては、互いに登録を承認した他のユーザが使用する端末との間で、サーバを介して、端末を使用するユーザの活動状態を示す活動情報を相互に通知すると共に、他のユーザが使用する端末から受信した活動情報を表示する端末と、それぞれの端末に対応付けられたサーバとを備えるシステムであって、端末は、当該端末のユーザから、新たな他のユーザの登録を要求する旨の入力を受け付けて、当該他のユーザに当該登録に対する承認を要求する登録要求を、当該端末に対応付けられたサーバへ送信する登録要求処理部と、他のユーザが使用する他の端末から当該他の端末に対応付けられたサーバを介して登録要求を受信し、表示する登録要求表示部と、当該端末のユーザから、登録要求表示部により表示された登録要求を無視すべき旨の入力を受け付ける無視受付部と、無視受付部により無視すべき旨の入力が受け付けられた場合に、無視すべき登録要求が、登録要求表示部に表示されなかったと他のユーザが使用する他の端末に対応付けられたサーバに判断させるべく、当該登録要求を処理する登録応答処理部と、当該端末に対応付けられたサーバから当該登録要求が表示されなかった旨を示す登録要求を受信し、表示する登録応答表示部とを有し、サーバは、当該サーバに対応付けられた端末から、当該端末と異なる他の端末を使用する他のユーザの登録に対する承認を要求する登録要求を受信して、当該他の端末に対応付けられた当該サーバと異なる他のサーバへ送信し、他のサーバから、当該サーバに対応付けられた端末を使用するユーザの登録に対する承認を要求する登録要求を受信して、当該サーバに対応付けられた端末へ送信する登録要求送受信部と、当該サーバに対応付けられた端末から、当該サーバに対応付けられた端末を使用するユーザを登録する承認を要求する登録要求に対する登録応答を受信して、他のサーバへ送信し、他のサーバから、当該他のサーバに対応付けられた他の端末を使用する他のユーザを登録する承認を要求する登録要求に対する登録応答を受信して、当該サーバに対応付けられた端末へ送信する登録応答送受信部とを有し、登録応答送受信部は、登録要求が当該サーバに対応付けられた端末の登録要求表示部に表示されなかったと判断した場合は、その旨を示す登録応答を、他のサーバの登録応答送受信部に送信し、他のサーバの登録応答送受信部から、登録要求が当該他のサーバに対応付けられた他の端末の登録要求表示部に表示されなかったと判断した旨を示す登録応答を受信した場合は、当該サーバに対応付けられた端末に送信する。これにより、第１の形態と同一の効果を得ることができる。
【００１３】
なお、上記の発明の概要は、本発明の必要な特徴の全てを列挙したものではなく、これらの特徴群のサブコンビネーションもまた、発明となりうる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１５】
図１は、システム１０の概略図を模式的に示す。システム１０は、携帯情報端末２０、４０、および、サーバ３０、５０を備える。携帯情報端末２０、４０は、端末の一例であって、例えば、スマートフォン（ｓｍａｒｔ  ｐｈｏｎｅ）である。携帯情報端末２０、４０は、それぞれディスプレイ２００、４００を有する。携帯情報端末２０、４０は、それぞれを使用するユーザを識別するユーザ識別情報（以下「ユーザＩＤ」という。）を記憶する。サーバ３０、５０は、それぞれ、携帯情報端末２０、４０と対応付けられている。
【００１６】
携帯情報端末２０、４０は、携帯情報端末２０、４０を使用するそれぞれのユーザの活動状態を示す活動情報を相互に通知する旨の登録を相互に承認した場合には、以後、サーバ３０、５０を介して、それぞれのユーザの活動情報を相互に通知し、通知された活動情報をそれぞれのディスプレイ２００、４００に表示する。ここで活動情報の一例は「仕事中」「家」などである。
【００１７】
なお、以下の説明において、携帯情報端末２０はユーザ「Ａ」に使用され、携帯情報端末４０はユーザ「Ｂ」に使用されているものとする。また、ユーザ「Ａ」は活動情報を相互に通知する旨の登録を相互に承認していないユーザ「Ｂ」に対しその登録を要求する登録要求者、ユーザ「Ｂ」はユーザ「Ａ」からその登録を要求される被登録者であるものとする。
【００１８】
図２は、携帯情報端末２０のブロック図の一例を示す。携帯情報端末２０は、図２に示すように、処理部２１０、表示部２２０および受付部２３０を備える。処理部２１０は、活動情報処理部２１２、登録要求処理部２１４および登録応答処理部２１６を有する。表示部２２０は、活動情報表示部２２２、登録要求表示部２２４および登録応答表示部２２６を有する。受付部２３０は、承認受付部２３２、拒否受付部２３４および無視受付部２３６を有する。
【００１９】
図３は、携帯情報端末４０のブロック図の一例を示す。図３に示すように、処理部４１０、表示部４２０および受付部４３０を備える。処理部４１０は、活動情報処理部４１２、登録要求処理部４１４および登録応答処理部４１６を有する。表示部４２０は、活動情報表示部４２２、登録要求表示部４２４および登録応答表示部４２６を有する。受付部４３０は、承認受付部４３２、拒否受付部４３４および無視受付部４３６を有する。
【００２０】
図４および図５は、それぞれサーバ３０、５０のブロック図の一例を示す。図４に示すように、サーバ３０は、活動情報送受信部３１０、登録要求送受信部３２０、登録応答送受信部３３０および時間記憶部３４０を備える。同様に、図５に示すように、サーバ５０は、活動情報送受信部５１０、登録要求送受信部５２０、登録応答送受信部５３０および時間記憶部５４０を備える。
【００２１】
携帯情報端末２０の活動情報処理部２１２は、ユーザ「Ａ」から活動情報を受け付けて、サーバ３０の活動情報送受信部３１０へ送信する。例えば、ユーザ「Ａ」とユーザ「Ｂ」とが、活動情報を相互に通知する旨の登録を相互に承認した場合には、ユーザ「Ａ」の活動情報は、サーバ３０、５０を介して携帯情報端末４０に送信される。
【００２２】
携帯情報端末２０の活動情報表示部２２２は、サーバ３０の活動情報送受信部３１０から他のユーザの活動情報を受信し、ディスプレイ２００に表示する。例えば、ユーザ「Ａ」とユーザ「Ｂ」とが、活動情報を相互に通知する旨の登録を相互に承認した場合には、携帯情報端末２０の活動情報表示部２２２は、ユーザ「Ｂ」の活動情報をディスプレイ２００に表示する。
【００２３】
携帯情報端末２０の登録要求処理部２１４は、ユーザ「Ａ」から、ユーザ「Ｂ」の登録を要求する旨の入力を受け付けて、その承認を要求する登録要求をサーバ３０の登録要求送受信部３２０へ送信する。
【００２４】
携帯情報端末２０の登録要求表示部２２４は、サーバ３０の登録要求送受信部３２０から、登録要求を受信し、ディスプレイ２００に表示する。
【００２５】
携帯情報端末２０の承認受付部２３２は、ユーザ「Ａ」から、登録要求表示部２２４により表示された登録要求を承認すべき旨の応答の入力を受け付ける。携帯情報端末２０の拒否受付部２３４は、ユーザ「Ａ」から、登録要求表示部２２４により表示された登録要求を拒否すべき旨の応答を受け付ける。携帯情報端末２０の無視受付部２３６は、ユーザ「Ａ」から、登録要求表示部２２４により表示された登録要求を無視すべき旨の応答を受け付ける。
【００２６】
携帯情報端末２０の登録応答処理部２１６は、承認受付部２３２により承認すべき旨の応答の入力が受け付けられた場合に、承認する旨の登録応答をサーバ３０の登録応答送受信部３３０へ送信する。また、携帯情報端末２０の登録応答処理部２１６は、拒否受付部２３４により拒否すべき旨の応答の入力が受け付けられた場合に、拒否する旨の登録応答をサーバ３０の登録応答送受信部３３０へ送信する。
【００２７】
さらに、携帯情報端末２０の登録応答処理部２１６は、無視受付部２３６により無視すべき旨の応答の入力が受け付けられた場合に、無視すべき登録要求が、登録要求表示部２２４に表示されなかったとサーバ３０に判断させるべく、無視すべき登録要求を処理する。具体的には、登録応答処理部２１６は、無視受付部２３６により無視すべき旨の応答の入力が受け付けられた場合に、ユーザ「Ｂ」が使用する携帯情報端末４０が活動情報を受信する一定時間を経過するまで、無視すべき登録要求に対する登録応答を送信しないことにより、サーバ５０に時間切れと判断させる処理する。また、これにかえて、登録応答処理部２１６は、無視受付部２３６により無視すべき旨の応答の入力が受け付けられた場合に、ユーザ「Ｂ」が使用する携帯情報端末４０が活動情報を受信する一定時間よりも短い許容時間が経過するまで、無視すべき登録要求に対する登録応答を送信しないことにより、無視すべき旨の応答の入力を、サーバ５０に時間切れと判断させる処理してもよい。
【００２８】
サーバ３０の活動情報送受信部３１０は、携帯情報端末２０の活動情報処理部２１２からユーザ「Ａ」の活動情報を受信して、他のサーバへ送信する。例えば、ユーザ「Ａ」とユーザ「Ｂ」とが、活動情報を相互に通知する旨の登録を相互に承認した場合には、サーバ３０の活動情報送受信部３１０は、ユーザ「Ａ」の活動情報を、サーバ５０の活動情報送受信部５１０へ送信する。
【００２９】
また、サーバ３０の活動情報送受信部３１０は、他のサーバから活動情報を受信して、携帯情報端末２０の活動情報表示部２２２へ送信する。例えば、ユーザ「Ａ」とユーザ「Ｂ」とが、活動情報を相互に通知する旨の登録を相互に承認した場合には、サーバ３０の活動情報送受信部３１０は、サーバ５０の活動情報送受信部５１０からユーザ「Ｂ」の活動情報を受信する。
【００３０】
サーバ３０の登録要求送受信部３２０は、携帯情報端末２０の登録要求処理部２１４から、携帯情報端末４０を使用するユーザ「Ｂ」を登録する承認を要求する登録要求を受信し、サーバ５０の登録要求送受信部５２０へ送信する。また、サーバ３０の登録要求送受信部３２０は、サーバ５０の登録要求送受信部５２０から、携帯情報端末２０を使用するユーザ「Ａ」を登録する承認を要求する登録要求を受信し、携帯情報端末２０の登録要求表示部２２４へ送信する。
【００３１】
サーバ３０の登録応答送受信部３３０は、携帯情報端末２０から、携帯情報端末２０を使用するユーザ「Ａ」を登録する承認を要求する登録要求に対する登録応答を受信して、サーバ５０の登録応答送受信部５３０へ送信する。サーバ３０の登録応答送受信部３３０は、サーバ５０の登録応答送受信部５３０から、携帯情報端末４０を使用するユーザ「Ｂ」を登録する承認を要求する登録要求に対する登録応答を受信し、携帯情報端末２０の登録応答表示部２２６へ送信する。
【００３２】
サーバ３０の時間記憶部３４０は、携帯情報端末２０がサーバ３０から他のユーザの活動情報を受信する一定時間を記憶する。また、サーバ３０の時間記憶部３４０は、これにかえて、または、加えて、この一定時間よりも短い時間である許容時間を記憶してもよい。
【００３３】
以上、携帯情報端末２０およびサーバ３０の機能を説明したが、携帯情報端末４０およびサーバ５０の機能は、これらと同一なので説明を省略する。
【００３４】
図６は、システム１０の動作の一例を示すフローチャートである。図７は、ディスプレイ４００に表示された情報の一例を示す。図８は、サーバ５０から出力される情報の一例を示す。図９は、ディスプレイ２００に表示された情報の一例を示す。本フローチャートは、登録要求者であるユーザ「Ａ」が被登録者であるユーザ「Ｂ」に活動情報を相互に通知する旨の登録を要求する場合のシステム１０の動作を示す。本フローチャートは、携帯情報端末２０の登録要求処理部２１４が、ユーザ「Ａ」からユーザ「Ｂ」を登録する要求を受け付けることにより開始する。なお、本フローチャートの左端は携帯情報端末２０の動作を、左から２番目はサーバ３０の動作を、左から３番目はサーバ５０の動作を、右端は携帯情報端末４０の動作を示す。
【００３５】
携帯情報端末２０の登録要求処理部２１４は、活動情報を相互に通知する旨の登録に対するユーザ「Ｂ」による承認を要求する登録要求を、サーバ３０の登録要求送受信部３２０に送信する（ステップＳ１００）。サーバ３０の登録要求送受信部３２０は、登録要求をサーバ５０の登録要求送受信部５２０に送信する（Ｓ１１０）。
【００３６】
サーバ５０の登録要求送受信部５２０は、携帯情報端末４０からの応答を受け付ける制限時刻を設定する（Ｓ１２０）。具体的には、サーバ５０の登録要求送受信部５２０は、現在時刻に時間記憶部５４０に格納された許容時間を加算することにより制限時刻を設定する。
【００３７】
サーバ５０の登録要求送受信部５２０は、登録要求を携帯情報端末４０の登録要求表示部４２４に送信する（Ｓ１３０）。
【００３８】
携帯情報端末４０の登録要求表示部４２４は、登録要求を表示する（Ｓ１４０）。図７に示す例において、携帯情報端末４０の登録要求表示部４２４は、メッセージ「Ａがあなたを登録しようとしています」、および、登録に対する応答の選択肢「１．承認」、「２．拒否」、「３．無視」をディスプレイ４００に表示する。
【００３９】
携帯情報端末４０の登録応答処理部４１６は、ユーザ「Ｂ」から応答を受け付けたか否かを判断する（Ｓ１５０）。携帯情報端末４０の登録応答処理部４１６は、携帯情報端末４０の承認受付部４３２がユーザ「Ｂ」から応答の選択肢「１．承認」を受け付けた場合、携帯情報端末４０の拒否受付部４３４がユーザ「Ｂ」から応答の選択肢「２．拒否」を受け付けた場合、または、携帯情報端末４０の無視受付部４３６がユーザ「Ｂ」から応答の選択肢「３．無視」を受け付けた場合には、ユーザ「Ｂ」から応答を受け付けたと判断する。
【００４０】
ステップ１５０において携帯情報端末４０の登録応答処理部４１６は、ユーザ「Ｂ」から応答を受け付けていないと判断した場合（Ｓ１５０：Ｎｏ）、応答を受け付けるまで待機する。
【００４１】
一方、ステップＳ１５０において携帯情報端末４０の登録応答処理部４１６は、ユーザ「Ｂ」から応答を受け付けたと判断した場合（Ｓ１５０：Ｙｅｓ）、ユーザ「Ｂ」から無視の応答を受け付けたか否かを判断する（Ｓ１６０）。携帯情報端末４０の登録応答処理部４１６は、携帯情報端末４０の無視受付部４３６がユーザ「Ｂ」から応答の選択肢「３．無視」を受け付けた場合、無視の応答を受け付けたと判断し（同ステップ）、携帯情報端末４０の承認受付部４３２がユーザ「Ｂ」から応答の選択肢「１．承認」を受け付けた場合、または、携帯情報端末４０の拒否受付部４３４がユーザ「Ｂ」から応答の選択肢「２．拒否」を受け付けた場合には、無視の応答を受け付けていないと判断する。
【００４２】
ステップＳ１６０において携帯情報端末４０の登録応答処理部４１６は、無視の応答を受け付けたと判断した場合（Ｓ１６０：Ｙｅｓ）、サーバ５０に対して登録要求に対する登録応答を送信せずに登録要求に対する処理を終了する。
【００４３】
一方、ステップＳ１６０において携帯情報端末４０の登録応答処理部４１６は、無視の応答を受け付けていないと判断した場合（Ｓ１６０：Ｎｏ）、登録応答をサーバ５０の登録応答送受信部５３０に送信する（Ｓ１７０）。
【００４４】
ステップＳ１７０において、携帯情報端末４０の登録応答処理部４１６は、携帯情報端末４０の承認受付部４３２により応答の選択肢「１．承認」が受け付けられた場合には、承認する旨の登録応答をサーバ５０の登録応答送受信部５３０に送信する。例えば図８（ａ）に示すように、登録応答処理部４１６は、登録要求者「ユーザＡのＩＤ」、被登録者「ユーザＢのＩＤ」、および、応答「承認」を含む承認する旨の登録応答をサーバ５０の登録応答送受信部５３０に送信する。
【００４５】
また、ステップＳ１７０において、携帯情報端末４０の登録応答処理部４１６は、携帯情報端末４０の拒否受付部４３４により応答の選択肢「２．拒否」が受け付けられた場合には、拒否する旨の登録応答をサーバ５０の登録応答送受信部５３０に送信する。例えば図８（ｂ）に示すように、登録応答処理部４１６は、登録要求者「ユーザＡのＩＤ」、被登録者「ユーザＢのＩＤ」、および、応答「拒否」を含む拒否する旨の登録応答をサーバ５０の登録応答送受信部５３０に送信する。
【００４６】
サーバ５０の登録応答送受信部５３０は、登録応答を受信したか否かを判断する（Ｓ１８０）。ステップＳ１８０においてサーバ５０の登録応答送受信部５３０は、登録応答を受信していないと判断した場合（Ｓ１８０：Ｎｏ）、サーバ５０の登録応答送受信部５３０は、制限時刻を経過したか否かを判断する（Ｓ１９０）。ステップＳ１９０においてサーバ５０の登録応答送受信部５３０は、制限時刻を経過していないと判断した場合（Ｓ１９０：Ｎｏ）、ステップＳ１８０に戻る。
【００４７】
一方、ステップＳ１８０においてサーバ５０の登録応答送受信部５３０は、登録応答を受信したと判断した場合（Ｓ１８０：Ｎｏ）、ステップＳ１９０を飛ばして、受信した登録応答をサーバ３０の登録応答送受信部３３０に送信する（Ｓ２００）。
【００４８】
一方、ステップＳ１９０においてサーバ５０の登録応答送受信部５３０は、制限時刻を経過したと判断した場合（Ｓ１９０：Ｙｅｓ）、時間切れである旨の登録応答をサーバ３０の登録応答送受信部３３０に送信する（Ｓ２００）。例えば図８（ｃ）に示すように、登録応答送受信部５３０は、登録要求者「ユーザＡのＩＤ」、被登録者「ユーザＢのＩＤ」、および、応答「時間切れ」を含む時間切れである旨の登録応答をサーバ３０の登録応答送受信部３３０に送信する。
【００４９】
サーバ３０の登録応答送受信部３３０は、サーバ５０の登録応答送受信部５３０から受信した登録応答を携帯情報端末２０の登録応答表示部２２６に送信する（Ｓ２１０）。
【００５０】
携帯情報端末２０の登録応答表示部２２６は、サーバ３０の登録応答送受信部３３０から、登録応答を受信したか否かを判断する（Ｓ２２０）。すなわち携帯情報端末２０の登録応答表示部２２６は、サーバ３０の登録応答送受信部３３０から、承認する旨の登録応答、拒否する旨の登録応答、または、時間切れである旨の登録応答を受信したか否かを判断する（同ステップ）。
【００５１】
ステップ２２０において携帯情報端末２０の登録応答表示部２２６は、サーバ３０の登録応答送受信部３３０から、登録応答を受信していないと判断した場合（Ｓ２２０：Ｎｏ）、登録応答を受け付けるまで待機する。
【００５２】
一方、ステップＳ２２０において携帯情報端末２０の登録応答表示部２２６は、サーバ３０の登録応答送受信部３３０から、登録応答を受信したと判断した場合（Ｓ２２０：Ｙｅｓ）、サーバ３０の登録応答送受信部３３０から承認する旨の登録応答を受信したか否かを判断する（Ｓ２３０）。ステップＳ２３０において携帯情報端末２０の登録応答表示部２２６は、サーバ３０の登録応答送受信部３３０から承認する旨の登録応答を受信したと判断した場合（Ｓ２３０：Ｙｅｓ）、携帯情報端末２０の登録応答表示部２２６は、登録がユーザ「Ｂ」により承認された旨を表示する（Ｓ２５０）。図９（ａ）に示す例において、携帯情報端末２０の登録応答表示部２２６は、メッセージ「Ｂが登録要求を承認しました」をディスプレイ２００に表示する。そして本フローチャートは終了する。
【００５３】
一方、ステップＳ２３０において携帯情報端末２０の登録応答表示部２２６は、サーバ３０の登録応答送受信部３３０から承認する旨の登録応答を受信していないと判断した場合（Ｓ２３０：Ｎｏ）、サーバ３０の登録応答送受信部３３０から拒否する旨の登録応答を受信したか否かを判断する（Ｓ２４０）。ステップＳ２４０において携帯情報端末２０の登録応答表示部２２６は、サーバ３０の登録応答送受信部３３０から拒否する旨の登録応答を受信したと判断した場合（Ｓ２４０：Ｙｅｓ）、携帯情報端末２０の登録応答表示部２２６は、登録がユーザ「Ｂ」により拒否された旨を表示する（Ｓ２６０）。図９（ｂ）に示す例において、携帯情報端末２０の登録応答表示部２２６は、メッセージ「Ｂが登録要求を拒否しました」をディスプレイ２００に表示する。そして本フローチャートは終了する。
【００５４】
一方、ステップＳ２４０において携帯情報端末２０の登録応答表示部２２６は、サーバ３０の登録応答送受信部３３０から拒否する旨の登録応答を受信していないと判断した場合（Ｓ２４０：Ｎｏ）、すなわち、携帯情報端末２０の登録応答表示部２２６は、サーバ３０の登録応答送受信部３３０から時間切れである旨の登録応答を受信したと判断した場合（Ｓ２４０：Ｎｏ）、携帯情報端末２０の登録応答表示部２２６は、ユーザ「Ｂ」から応答がなかった旨を表示する（Ｓ２７０）。図９（ｃ）に示す例において、携帯情報端末２０の登録応答表示部２２６は、メッセージ「Ｂからの応答がありません」をディスプレイ２００に表示する。そして本フローチャートは終了する。
【００５５】
以上、本フローチャートによれば、被登録者であるユーザ「Ｂ」が応答の選択肢「３．無視」を選択した場合、携帯情報端末４０の登録応答処理部４１６は、サーバ５０に登録応答を送信する処理（ステップＳ１７０）を省略する処理（ステップＳ１６０）ことにより、被登録者側のサーバ５０に時間切れであると判断させる。
【００５６】
なお、本実施例においては、被登録者側のサーバ５０は、携帯情報端末４０への応答要求の送信に対する登録応答が、承認する旨、拒否する旨および時間切れである旨のいずれかであると判断する。ここで、「時間切れであると判断される場合」には、被登録者側のサーバ５０が携帯情報端末４０に登録要求を正常に送信できなかったとき、携帯情報端末４０が登録要求をディスプレイ４００に表示できなかったとき、携帯情報端末４０が被登録者側のサーバ５０に登録応答を正常に送信できなかったときを含ませることができる。よって、被登録者であるユーザ「Ｂ」が応答の選択肢「３．無視」を選択した場合は、被登録者側のサーバ５０に、携帯情報端末４０が登録要求を正常に受信できなかったか、または、正常に受信したが携帯情報端末４０が登録要求をディスプレイ４００に表示できなかった、ことによって、時間切れになったと判断させることができる。
【００５７】
なお、ステップＳ１２０においてサーバ５０の登録要求送受信部５２０は、現在時刻に時間記憶部５４０に格納された許容時間を加算することにより制限時刻を設定したが、これにかえて、携帯情報端末４０がサーバ５０から他のユーザの活動情報を受信する一定時間を加算することにより制限時刻を設定してもよい。
【００５８】
なお、システム１０において、上記３種類の登録応答に加えて、例えば、「４．被登録者の携帯情報端末がシステム１０に存在していない旨を示す登録応答」、「５．被登録者の携帯情報端末が異常である旨を示す登録応答」、「６．被登録者の携帯情報端末との接続が異常である旨を示す登録応答」などを規定してもよい。この場合、被登録者であるユーザ「Ｂ」が応答の選択肢「３．無視」を選択したときは、被登録者側のサーバ５０は、例えば、「５．被登録者の携帯情報端末が異常である旨を示す登録応答」を登録要求者側のサーバ３０に送信してもよい。すなわち被登録者であるユーザ「Ｂ」が応答の選択肢「３．無視」を選択した場合、携帯情報端末４０の登録応答処理部４１６は、制限時刻までにサーバ５０に登録応答「３．無視」を送信し、制限時刻までに登録応答「３．無視」を受信した被登録者側のサーバ５０は、例えば「５．被登録者の携帯情報端末が異常である旨を示す登録応答」を登録要求者側のサーバ３０に送信してもよい。
【００５９】
また、システム１０が備える端末は、携帯情報端末でなくディスクトップ型のパーソナルコンピュータなど固定設置されるものであってもよい。
【００６０】
以上、本実施形態によれば、これにより、活動情報を相互に通知することについて他のユーザから承認を求められたユーザは、当該他のユーザとの間で、活動情報を相互に通知したくない相手に対して心理的な負担を感じることなく、登録を拒否することができる。
【００６１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６２】
【図１】システム１０の概略図を模式的に示す。
【図２】携帯情報端末２０のブロック図の一例を示す。
【図３】携帯情報端末４０のブロック図の一例を示す。
【図４】サーバ３０のブロック図の一例を示す。
【図５】サーバ５０のブロック図の一例を示す。
【図６】システム１０の動作の一例を示すフローチャートである。
【図７】ディスプレイ４００に表示された情報の一例を示す。
【図８】サーバ５０から出力される情報の一例を示す。
【図９】ディスプレイ２００に表示された情報の一例を示す。
【符号の説明】
【００６３】
１０  システム
２０  携帯情報端末
３０  サーバ
４０  携帯情報端末
５０  サーバ
２００  ディスプレイ
２１０  処理部
２１２  活動情報処理部
２１４  登録要求処理部
２１６  登録応答処理部
２２０  表示部
２２２  活動情報表示部
２２４  登録要求表示部
２２６  登録応答表示部
２３０  受付部
２３２  承認受付部
２３４  拒否受付部
２３６  無視受付部
３１０  活動情報送受信部
３２０  登録要求送受信部
３３０  登録応答送受信部
３４０  時間記憶部
４００  ディスプレイ
４１０  処理部
４１２  活動情報処理部
４１４  登録要求処理部
４１６  登録応答処理部
４２０  表示部
４２２  活動情報表示部
４２４  登録要求表示部
４２６  登録応答表示部
４３０  受付部
４３２  承認受付部
４３４  拒否受付部
４３６  無視受付部
５１０  活動情報送受信部
５２０  登録要求送受信部
５３０  登録応答送受信部
５４０  時間記憶部
【図１】
2008102866.tif 000003
【図２】
2008102866.tif 000004
【図３】
2008102866.tif 000005
【図４】
2008102866.tif 000006
【図５】
2008102866.tif 000007
【図６】
2008102866.tif 000008
【図７】
2008102866.tif 000009
【図８】
2008102866.tif 000010
【図９】
2008102866.tif 000011